(57)【特許請求の範囲】
【請求項１】
端末の移動無線機に複数の加入者番号を、そのうちの一つを当該移動無線機に固有のマイラインのものとし、他を他の移動無線機と共有のサブラインのものとして割り振ることができる通信システムにおいて、
交換機は、
移動無線機が保留すると、当該移動無線機に割り振られている複数の加入者番号のうちいずれの加入者番号を使用した保留であるかを記憶するとともに、当該保留がサブラインを使用した保留である場合には、サブライン使用による保留である情報とともに当該移動無線機に固有のマイラインも合わせて記憶し、
当該保留がサブラインの加入者番号を介して行なわれた場合には、前記保留時に記憶された移動無線機に固有のマイラインに基づいていずれの端末に対して呼出を行なうかを判別し、
予め定められた待ち時間を経過した場合には保留されている移動無線機の加入者番号を呼返す着信信号を送出し、
移動無線機は、
受信した前記着信信号がサブラインの加入者番号に対する呼返しの場合には、設定されているマイラインの加入者番号と交換機からの着信信号の加入者番号情報とを比較し、
比較結果が一致した場合には自身に対する呼返しと判断して、呼返し動作を行なうことを特徴とする移動無線機への呼返し制御方法。
【請求項２】
端末の移動無線機に複数の加入者番号を、そのうちの一つを当該移動無線機に固有のマイラインのものとし、他を他の移動無線機と共有のサブラインのものとして割り振ることができる通信システムにおいて、
交換機は、
移動無線機が保留すると、当該移動無線機に割り振られている複数の加入者番号のうちいずれの加入者番号を使用した保留であるかを記憶するとともに、当該保留がサブラインを使用した保留である場合には、サブライン使用による保留である情報とともに当該移動無線機に固有のマイラインも合わせて記憶する番号情報記憶手段と、
この保留がサブラインの加入者番号を介して行なわれた場合には、前記保留時に記憶された移動無線機に固有のマイラインに基づいていずれの端末に対して呼出を行なうかを判別する端末判別手段と、
保留信号を受信した後予め定められた待ち時間の経過を計時するタイマ手段とを備え、
移動無線機は、
前記交換機から送出された呼返しが、マイラインまたはサブラインの加入者番号のいずれに対するものかを判別する呼返し判別手段と、
交換機から送出された呼返しに係る着信信号の加入者番号情報と自身に設定された加入者番号とを比較する加入者番号比較手段とを備え、
前記交換機は待ち時間経過後に、呼出すべき移動無線機に対して呼返しに係る着信信号を送出し、
前記着信信号を受信した移動無線機は、サブラインの加入者番号に対する呼返しと判断した場合には、自身のマイラインの加入者番号と前記着信信号の加入者番号情報とを比較し、これらが一致した場合に当該呼返しを自身に対するものと判断して、呼返し動作を行なうことを特徴とする通信システム。
【発明の詳細な説明】
【０００１】
【発明の属する技術分野】
この発明は、構内交換機であって、複数の加入者番号を割り振られた移動無線機によって保留操作された場合に、この保留に対する呼返し動作のための呼返し制御方法及び制御装置に関する。
【０００２】
【従来の技術】
いわゆるＰＨＳシステム（Personal Handy Phone System ）は、主として交換機と、発着信するための移動無線機（Personal Staition ：ＰＳ）、該移動無線機からの電波を送受信する無線基地局（Cell Station：ＣＳ）とから構成されている。
【０００３】
ところで、前記移動無線機にはシステム内で固有の番号がＰＳ番号として予め設定されており、それぞれの移動無線機に格別にＰＳ番号が対応している。このため、移動無線機はこのＰＳ番号によって特定されるようにしてある。
【０００４】
この種の移動無線機において通話状態が保留された場合には、通話者が保留状態を忘れてしまうことを防止するため、所定の待ち時間が経過した場合に保留操作者に対して呼返しを行なって保留状態であることを認識させるようにするものがある。この呼返しには、通常の着信処理が使用されている。
【０００５】
一方、この種の移動無線機には、１台の端末に複数の加入者番号を割り振ることができ、割り振られた番号の一つを当該ＰＳに固有のマイラインの加入者番号とし、他の加入者番号を他の移動無線機と共有されるサブラインの加入者番号とすることができる通信システムがある。すなわち、移動無線機にＰＳ番号が唯一で対応しておらず、複数のＰＳ番号が対応している。
【０００６】
【発明が解決しようとする課題】
しかしながら、従来のこの種の移動無線機のうち、サブラインを共有することができる通信システムに使用するものでは、マイラインの加入者番号にっては該当する移動無線機を特定することができるが、サブラインの加入者番号では移動無線機を唯一に特定することができない。斯かる通信システムで、保留がサブラインを介して行なわれた場合には、当該サブラインによって呼返しが行なわれることになり、当該サブラインを共有する全ての移動無線機に対して呼返しが行なわれてしまうことになる。
【０００７】
そこで、この発明は、サブラインを共有する複数の移動無線機のうちの任意の１台が保留を行なった場合に、この保留に対する呼返しを該当する１台の移動無線機に対してのみ行なえるようにした移動無線機への呼返し制御方法及び呼返し制御装置を提供することを目的としている。
【０００８】
【課題を解決するための手段】
前記の目的を達成するための技術的手段として、この発明に係る移動無線機への呼返し制御方法は、端末の移動無線機に複数の加入者番号を、そのうちの一つを当該移動無線機に固有のマイラインのものとし、他を他の移動無線機と共有のサブラインのものとして割り振ることができる通信システムにおいて、交換機は、移動無線機による保留が、保留に係る移動無線機に割り振られている複数の加入者番号のうちのいずれの加入者番号を使用したかを記憶し、当該保留がサブラインの加入者番号を介して行なわれた場合には、保留に係る移動無線機のマイラインの加入者番号に基づいていずれの端末に対して呼出を行なうかを判別し、予め定められた待ち時間を経過した場合には保留されている移動無線機の加入者番号を呼返す着信信号を送出し、移動無線機は、受信した前記着信信号がサブラインの加入者番号に対する呼返しの場合には、設定されているマイラインの加入者番号と交換機からの着信信号の加入者番号情報とを比較し、比較結果が一致した場合には自身に対する呼返しと判断して、呼返し動作を行なうことを特徴としている。
【０００９】
移動無線機が保留操作されると、交換機はこの保留に係る移動無線機に割り振られている加入者番号のうちのいずれの加入者番号を介して行なわれたかを記憶すると共に、待ち時間の計時を開始する。待ち時間が経過すると、記憶された加入者番号に対応する移動無線機に対して呼返しの着信信号を送出する。移動無線機では、着信信号と自身が有する加入者番号とを比較して当該着信信号が自身に係るものであるか否かを判断し、自身に係るものである場合には呼返し動作として、例えば呼出のためのリンガを鳴動させる等を行なって、保留を操作した通話者に対して保留状態にあることを喚起させる。
【００１０】
また、請求項２の発明に係る移動無線機への呼返し制御装置は、端末の移動無線機に複数の加入者番号を、そのうちの一つを当該移動無線機に固有のマイラインのものとし、他を他の移動無線機と共有のサブラインのものとして割り振ることができる通信システムにおいて、交換機は、移動無線機による保留が、保留に係る移動無線機に割り振られている複数の加入者番号のうちのいずれの加入者番号を介して行なわれたかを記憶する番号情報記憶手段と、この保留がサブラインの加入者番号を介して行なわれた場合には、保留に係る移動無線機のマイラインの加入者番号に基づいていずれの端末に対して呼出を行なうかを判別する端末判別手段と、保留信号を受信した後予め定められた待ち時間の経過を計時するタイマ手段とを備え、移動無線機は、前記交換機から送出された呼返しが、マイラインまたはサブラインの加入者番号のいずれに対するものかを判別する呼返し判別手段と、交換機から送出された呼返しに係る着信信号の加入者番号情報と自身に設定された加入者番号とを比較する加入者番号比較手段とを備え、前記交換機は待ち時間経過後に、呼出すべき移動無線機に対して呼返しに係る着信信号を送出し、前記着信信号を受信した移動無線機は、サブラインの加入者番号に対する呼返しと判断した場合には、自身のマイラインの加入者番号と前記着信信号の加入者番号情報とを比較し、これらが一致した場合に当該呼返しを自身に対するものと判断して、呼返し動作を行なうことを特徴としている。
【００１１】
移動無線機が保留操作されると、保留に係る移動無線機の加入者番号が交換機の前記番号情報記憶手段によって記憶されると共に、前記タイマ手段が待ち時間のカウントを開始する。また、前記端末判別手段によって保留に係る移動無線機が判別され、前記待ち時間の経過後に、該移動無線機に対して保留に使用された加入者番号を介して呼返しのための着信信号が交換機から送出される。移動無線機はこの着信信号を受信すると、前記呼返し判別手段によってこの着信信号がマイラインを介してのものかサブラインを介してのものかを判別する。サブラインを介してのものである場合には、前記加入者番号比較手段で、着信信号のマイラインの加入者番号と自身のマイラインの加入者番号とを比較し、これらが一致する場合には、この呼返しが自身に対するものであると判断し、たとえばリンガの鳴動などの呼返し動作を行なう。
【００１２】
【発明の実施の形態】
以下、図示した好ましい実施の形態に基づいて、この発明に係る移動無線機への呼返し制御装置と共に呼返し制御方法を具体的に説明する。
【請求項３】
図１はこの移動無線機への呼返し制御装置を具備した通信システムの概略の構成を示すブロック図で、この通信システムは、交換機１と、この交換機１に連繋した無線基地局２と、該無線基地局２との間で信号の送受信を行なう端末としての移動無線機である無線子機３、４とによって構成されている。交換機１には中央制御装置５が含まれており、この中央制御装置５によって保留時間の経過が判定される。
【００１３】
図２は前記中央制御装置５の内部メモリ50の構造を説明する図で、この内部メモリ50には２つのブロック51、52が含まれている。ブロック51には、保留が行なわれた実際の加入者番号が記憶される。すなわち、保留がサブラインを介して行なわれた場合にはサブラインの加入者番号が、マイラインを介して行なわれた場合にはマイラインの加入者番号が設定される。ブロック52には、保留がサブラインを介して行なわれた場合に当該無線子機３、４に割り振られているマイラインの加入者番号が設定され、保留がマイラインを介して行なわれた場合にはデータは何も設定されない。すなわち、図２（ａ）に示すように、サブラインを介して保留された場合には、ブロック51、52の設定パターンによっていずれの無線子機３、４に対して呼返しを行なうかを判断することができる。なお、マイラインを介して保留された場合にはブロック51の設定データによって当該無線子機３、４を呼返すことができる。
【００１４】
また、図３（ａ）、（ｂ）はそれぞれ無線子機３、４を示しており、無線子機３にはマイラインに２００番が、サブラインに４００番の加入者番号が割り振られ、無線子機４にはマイラインに３００番が、サブラインに４００番の加入者番号が割り振られている。すなわち、サブライン４００番が無線子機３、４に共有とされている。
【００１５】
無線子機３、４のそれぞれには、図４に示すように、ＰＳ制御部11と記憶装置12とが含まれており、記憶装置12にはこの無線子機３、４に割り振られているマイラインとサブラインの加入者番号が記憶される。前記ＰＳ制御部11では、前記中央制御装置５から送出された呼返しに係る着信信号を受信した場合に、当該信号がマイラインの加入者番号に対してのものかサブラインの加入者番号に対してのものかが判別される。また、ＰＳ制御部11からの指令によって、呼返しに応じて無線子機３、４が林がを鳴動などの呼返し動作を行なうことになる。
【００１６】
前記中央制御装置５の着信信号は、図５に示すように、信号の種別と伝達能力に関する情報等の他に、ＰＳ番号情報要素とサブラインＰＳ番号情報要素とが含まれている。前記ＰＳ番号情報要素にはマイラインの加入者番号が設定され、サブラインＰＳ番号情報要素にはサブラインの加入者番号が設定される。
【００１７】
以上により構成されたこの発明に係る移動無線機への呼返し制御装置の実施形態の動作を、図６に示すフローチャートを参照して説明する。
【００１８】
たとえば、無線子機３がサブラインを介して保留を行なった場合（ステップ６００）、すなわち加入者番号の４００番で保留された場合には、保留の信号が前記中央制御装置５で受信されると、無線子機３から送信されたＰＳ番号情報要素とサブラインＰＳ番号情報要素が中央制御装置５の内部メモリ50に格納される。このとき、内部メモリ50には、図２（ａ）に示すように、サブラインの加入者番号である４００番とマイラインの加入者番号である２００番とが記憶される（ステップ６０１）。また、保留信号の受信により待ち時間に係る呼返しタイマが設定され、タイマがカウントを開始する（ステップ６０２）。
【００１９】
所定の待ち時間が経過してタイマのカウントが終了すると、呼返し処理が起動される（ステップ６０３）。呼返しに係る加入者番号がサブラインへの呼び出しか否かが判断される（ステップ６０４）。これは、前記内部メモリ50に格納された情報内容をチェックすることにより行なわれ、マイラインの加入者番号によって保留が行なわれた場合には、内部メモリ50に図２（ｂ）に示すように、サブラインの加入者番号に関する情報が設定されていないため、サブラインへの呼び出しでないと判断され（ステップ６０４／ＮＯ）、マイラインに係る加入者番号での呼返しが実行される（ステップ６０５）。なお、マイラインの加入者番号による場合には、無線子機３、４のうちのいずれかが特定されて呼返しが行なわれる。
【００２０】
サブラインの加入者番号を介して保留が行なわれた場合には、前記内部メモリ50には、図２（ａ）に示すように、サブラインの加入者番号に関する情報とマイラインの加入者番号に関する情報とが格納されている。すなわち、サブラインの加入者番号が格納されているので、サブラインの加入者番号を介しての保留操作と判断される（ステップ６０４／ＹＥＳ）。サブラインでの保留と判断されると、内部メモリ50に格納されているマイラインの加入者番号を参照して、無線子機３、４のいずれを呼返すべきか、呼返し先が決定される（ステップ６０６）。この呼返し先の決定に基づいて、保留が行なわれたサブラインを介して無線子機３、４への呼返しのための着信信号を送出する（ステップ６０７）。
【００２１】
無線子機３、４が着信信号を受信すると、無線子機３、４の前記ＰＳ制御部13によって、着信信号と記憶装置12に記憶された内容とが比較され（ステップ６０８）、着信信号のマイラインに関する情報と、記憶装置12内のマイライン番号とが一致する場合には（ステップ６０８／ＹＥＳ）、当該着信信号が自分を呼返す着信信号と判断される。着信信号が自分に対するものと判断された無線子機３、４は、リンガを鳴動させると共に、サブラインのラインキーを点滅させて保留であることを通話者に認識させる（ステップ６０９）。また、着信信号の情報と記憶装置12内の情報とが一致しない無線子機４、３は（ステップ６０８／ＮＯ）、何ら動作を行なわない（ステップ６１０）。
【００２２】
【発明の効果】
以上説明したように、この発明に係る移動無線機への呼返し制御方法によれば、保留操作によって開始したタイマのカウントが終了して待ち時間が経過した後には、交換機から保留操作がなされた移動無線機に関する着信信号を送出し、この着信信号を移動無線機で当該呼返しが自身に係るものであるか否かを判断し、移動無線機が自身に係るものである場合にリンガを鳴動させたりして呼返し動作を行なう。このため、保留操作を行なった移動無線機を操作する者は保留状態にあったことを認識することができる。しかも、移動無線機が着信信号を判断して、自身に対して送出された信号か否かを判断するから、サブラインを複数の移動無線機が共有する通信システムであっても、保留に係る移動無線機のみに呼返し動作を行なわせることができる。
【００２３】
また、この発明に係る移動無線機への呼返し制御装置によれば、保留に係る移動無線機は、呼返しの着信信号を受けた場合に、該着信信号が自身を呼返すものであるか否かを確実に判別することができる。このため、サブラインを複数の移動無線機が共有する通信システムであっても、保留に係る移動無線機のみが呼返し動作を行なうことができる。
【図面の簡単な説明】
【図１】この発明に係る移動無線機への呼返し制御装置を具備した通信システムの概略を説明するブロック図である。
【図２】交換機の中央制御装置に実装される内部メモリの概略を説明する構成図である。
【図３】移動無線機の構成を示す図である。
【図４】移動無線機の呼返し制御に係る内部の構成を説明するための概略のブロック図である。
【図５】交換機によって呼返しが実行される際の着信信号の概略の構成を説明する図である。
【図６】サブラインを介して呼返しが行なわれる際のフローチャートである。
【符号の説明】
１  交換機
２  無線基地局
３  無線子機
４  無線子機
５  中央制御装置
50  内部メモリ
51、52  ブロック
11  ＰＳ制御部
12  記憶装置
【図１】
0003700822.tif 000002
【図２】
0003700822.tif 000003
【図３】
0003700822.tif 000004
【図４】
0003700822.tif 000005
【図５】
0003700822.tif 000006
【図６】
0003700822.tif 000007